(57)【要約】 【課題】ランニングコストを抑えながら、室内空気を全体的に効率良く浄化することができる空気浄化機能を有する建築化照明システムを提供する。【解決手段】この建築化照明システムは、室内の天井１の下方に、天井板材２・・を配設するとともに、室内の天井１と天井板材２・・との間の空間３に照明用光源４・・を配置して、照明用光源４・・からの可視光を、室内の天井１及び壁６、天井板材２・・において反射させて、室内を間接的に照明するものであって、室内の天井１及び壁６、天井板材２・・における光反射部位に可視光型光触媒領域１０を設けている。【選択図】  図２
2007095551.tif 000002
【特許請求の範囲】
【請求項１】
照明用光源（４）を遮蔽部材（２）（２１）（３１）（４１）により覆い隠して、前記照明用光源（４）からの可視光を、室内の天井（１）又は壁（６）、及び、前記遮蔽部材（２）（２１）（３１）（４１）において反射させて、室内を間接的に照明する建築化照明システムにおいて、可視光の照射により活性を有する可視光型光触媒領域（１０）（２２）（３２）（４２）を、前記室内の天井（１）又は壁（６）、前記遮蔽部材（２）（２１）（３１）（４１）における光反射部位に設けたことを特徴とする空気浄化機能を有する建築化照明システム。
【請求項２】
前記可視光型光触媒領域（１０）（２２）（３２）（４２）付近の空気を強制的に流動させるための送風機（１１）を設けた請求項１記載の空気浄化機能を有する建築化照明システム。
【請求項３】
室内の天井（１）の下方に、前記遮蔽部材としての天井板材（２）・・を配設するとともに、前記室内の天井（１）と天井板材（２）・・との間の空間（３）に前記照明用光源（４）・・を配置して、前記可視光型光触媒領域（１０）を、前記室内の天井（１）又は壁（６）、天井板材（２）・・における光反射部位に設けた請求項１記載の空気浄化機能を有する建築化照明システム。
【請求項４】
前記可視光型光触媒領域（１０）付近の空気を強制的に流動させるための送風機（１１）を、前記天井板材（２）・・により覆い隠すようにして、前記室内の天井（１）又は天井板材（２）・・に取り付けた請求項３記載の空気浄化機能を有する建築化照明システム。        
【請求項５】
前記室内の天井（１）と天井板材（２）・・との間の空間（３）と、前記天井板材（２）・・の下方の室内空間とを連通する通気用の空隙（８）（１２）を設けた請求項３又は４記載の空気浄化機能を有する建築化照明システム。
【発明の詳細な説明】
【技術分野】
【０００１】
この発明は、可視光型光触媒を利用した空気浄化機能を有する建築化照明システムに関する。
【背景技術】
【０００２】
住宅における高断熱高気密化は、省エネルギー性及び室内の温熱環境の向上をもたらしている。しかし、その一方で、内装材や家具等に使用されている接着剤や塗料等から放出されるホルムアルデヒド等の揮発性有機化合物（ＶＯＣ）が室内に滞留し易くなって、頭痛、めまい、吐き気等の体の変調をきたす、いわゆるシックハウス症候群（化学物質過敏症）が問題になっている。
【０００３】
このため、室内の空気を浄化するための空気清浄機が各種市販されている。例えば、活性炭等の吸着材を用いて有機化合物を吸着するものや、ブラックライトと紫外光型光触媒を用いて有機化合物を分解するものがある。
【０００４】
しかしながら、このような空気清浄機は、一般に据え置き型のものが多く、室内空気の局部的な浄化には適しているが、室内空気を全体的に効率良く浄化するには不向きであった。また、活性炭等の吸着材を使用した場合には、定期的に吸着材の交換が必要となり、ブラックライトを使用した場合には、電気代が嵩むといったように、ランニングコストが必要であった。
【０００５】
一方、近年においては、紫外線の照射により反応するだけでなく、蛍光灯や白熱灯、ハロゲンランプといった一般的な照明用光源からの可視光によっても触媒活性を発揮する可視光型光触媒が各種開発されている。そして、このような可視光型光触媒を室内の壁や天井にコーティングしたり(例えば特許文献１、特許文献２)、さらには可視光型光触媒を照明器具に担持させて(例えば特許文献３)、照明用光源からの可視光を可視光型光触媒に照射させることで、ランニングコストを抑えながら室内空気を浄化するシステムが提案されている。
【０００６】
【特許文献１】特開２０００−１０３６４７号公報
【特許文献２】特開２００１−２１２４５７号公報
【特許文献３】特開２００５−２４１８３号公報
【発明の開示】
【発明が解決しようとする課題】
【０００７】
しかしながら、室内の壁に可視光型光触媒をコーティングする場合には、室内に設置した家具等によって照明用光源からの可視光が面的に遮られることが多い。また、室内の天井に可視光型光触媒をコーティングする場合には、一般に照明用光源からの可視光は室内空間に向けて照射されるので、照明器具から離れた壁際等においては可視光が当たり難くなる。
【０００８】
従って、室内の壁や天井に可視光型光触媒を単にコーティングしただけでは、照明用光源からの可視光が十分に照射されない箇所が生じることが多く、そのような箇所にコーティングした可視光型光触媒が無駄になって、室内空気の浄化効率が悪くなるといった不具合があった。
【０００９】
一方、照明器具に可視光型光触媒を担持させる場合には、照明用光源からの可視光を可視光型光触媒に対して良好に照射させることができるが、室内の壁や天井に可視光型光触媒をコーティングする場合と比べて、可視光型光触媒領域が狭くなる。光触媒の反応速度は決して速くないため、室内空気を全体的に効率良く浄化するためには、空気との接触面積をある程度広く確保する必要があるが、照明器具に可視光型光触媒を担持させるだけでは十分な浄化効果を期待することはできないといった不具合があった。
【００１０】
そこで、この発明は、上記不具合を解消して、ランニングコストを抑えながら、室内空気を全体的に効率良く浄化することができる空気浄化機能を有する建築化照明システムの提供を目的とする。
【課題を解決するための手段】
【００１１】
上記課題を解決するため、この発明の空気浄化機能を有する建築化照明システムは、照明用光源４を遮蔽部材２、２１、３１、４１により覆い隠して、前記照明用光源４からの可視光を、室内の天井１又は壁６、及び、前記遮蔽部材２、２１、３１、４１において反射させて、室内を間接的に照明するものあって、可視光の照射により活性を有する可視光型光触媒領域１０、２２、３２、４２を、前記室内の天井１又は壁６、前記遮蔽部材２、２１、３１、４１における光反射部位に設けたことを特徴とする。
【００１２】
また、前記可視光型光触媒領域１０、２２、３２、４２付近の空気を強制的に流動させるための送風機１１を設けている。
【００１３】
具体的には、室内の天井１の下方に、前記遮蔽部材としての天井板材２・・を配設するとともに、前記室内の天井１と天井板材２・・との間の空間３に前記照明用光源４・・を配置して、前記可視光型光触媒領域１０を、前記室内の天井１又は壁６、天井板材２・・における光反射部位に設けている。
【００１４】
また、前記可視光型光触媒領域１０付近の空気を強制的に流動させるための送風機１１を、前記天井板材２・・により覆い隠すようにして、前記室内の天井１又は天井板材２・・に取り付けている。
【００１５】
さらに、前記室内の天井１と天井板材２・・との間の空間３と、前記天井板材２・・の下方の室内空間とを連通する通気用の空隙８、１２を設けている。
【発明の効果】
【００１６】
この発明の建築化照明システムにおいては、間接照明を採用して、照明用光源からの可視光を反射する光反射部位に可視光型光触媒領域を設けているから、比較的広い範囲の可視光型光触媒領域に対して可視光を直接且つ確実に照射することができ、これによって室内空気を全体的に効率良く浄化することができる。
【００１７】
しかも、照明用光源の点灯による日常的な照明に際して、同時に空気浄化を行うことができるため、ランニングコストを低く抑えることができる。
【００１８】
また、可視光型光触媒領域付近の空気を送風機によって強制的に流動させることで、室内空気を可視光型光触媒領域へ効率良く接触させることができ、これによって室内空気の浄化効率を高めることができる。さらに、照明用光源や送風機を覆い隠すことで、見栄えの良好なデザインされた建築化照明において空気浄化を実現することができる。
【発明を実施するための最良の形態】
【００１９】
この発明の実施形態について、図面を参照しつつ詳細に説明する。この発明の一実施形態に係る建築化照明システムは、図１及び図２に示すように、住宅における室内の天井１の下方に複数の天井板材２・・を略水平に吊り下げ支持して二重天井を構成し、この二重天井の内部空間すなわち室内の天井１と天井板材２・・との間の空間３に、照明用光源４・・を配置している。そして、照明用光源４・・からの可視光を、室内の天井１及び天井板材２・・の上面において反射させて、室内を間接的に照明するようになっている。
【００２０】
天井板材２・・は、略方形状に形成された鋼板からなり、縦方向及び横方向に並設されて、それら天井板材２・・間には縦方向及び横方向に沿ったスリット５・・が形成されている。また、外側の天井板材２・・と室内の壁６との間には、隙間７・・が形成されている。そして、これらスリット５・・及び隙間７が、空間３と天井板材２・・の下方の室内空間とを連通する通気用及び透光用の空隙８とされている。
【００２１】
照明用光源４・・としては、可視光を照射する蛍光灯が用いられているが、可視光を照射するものであれば、白熱灯やハロゲン灯等のその他のインテリア照明用光源を用いても良い。この照明用光源４・・は、遮蔽部材としての複数の天井板材２・・によって覆い隠された状態で、天井板材２・・の上面に取り付けられている。
【００２２】
そして、この建築化照明システムにおいては、図２に示すように、例えば２０００〜３０００ルクスといった照度が得られる室内の天井１及び壁６の光反射部位、及び天井板材２・・の上面である光反射部位に、可視光の照射により活性を有する可視光型光触媒がコーティングされて、可視光型光触媒領域１０が設けられている。
【００２３】
さらに、この可視光型光触媒領域１０と室内空気との接触機会を増やして、室内空気の浄化効率を高めるために、可視光型光触媒領域１０付近の空気を強制的に流動させるための送風機１１が、天井板材２・・により覆い隠された状態で天井板材２・・の上面に取り付けられている。そして、送風機１１が取り付けられた天井板材２には、通気用の空隙を確保するガラリ１２が形成されている。なお、この送風機１１は、天井板材２・・の上面に取り付けるだけでなく、室内の天井１に取り付けるようにしても良い。
【００２４】
上記構成の建築化照明システムにおいて、照明用光源４・・を点灯させると、図２に示すように、照明用光源４・・からの可視光が、室内の天井１及び壁６、天井板材２・・の上面において反射を繰り返して、空隙８から天井板材２・・の下方の室内空間へ向けて照射する。
【００２５】
このとき、室内の天井１及び壁６、天井板材２の光反射部位には、可視光型光触媒領域１０・・が設けられているので、可視光下で強い触媒活性を発揮し、この可視光型光触媒領域１０に空間３内の空気が接触することで、空間３内の空気に含まれる有害な有機化合物が分解除去され、また脱臭される。ここで、空間３内に設けた送風機１１を作動させることで、空間３内の空気が撹拌されて、可視光型光触媒領域１０への空間３内の空気の接触機会が増え、これによって空間３内の空気の浄化が促進される。
【００２６】
浄化後の空間３内の空気は、ガラリ１２から天井板材２・・の下方の室内空間へ向けて送り出され、代わりに天井板材２・・の下方の室内空気が空隙８から空間３内に流れ込んで、可視光型光触媒領域１０に接触することで浄化される。そして、このような空気循環が繰り返されることで、室内空間全体の空気が効率良く浄化される。
【００２７】
図３は、他の実施形態に係る建築化照明システムを示している。この建築化照明システムは、コーブ照明を採用しており、室内の壁６に沿って設けた上面開放の収容空間２０内に照明用光源４が収容されている。
【００２８】
収容空間２０は、長押やカーテンボックス等を利用して形成されたもので、室内の壁６とこの壁６から突出した略Ｌ型の遮蔽部材２１によって囲まれた空間であり、この収容空間２０に収容された照明用光源４は、遮蔽部材２１により覆い隠されている。そして、この照明用光源４からの可視光を、室内の天井１、壁６上部及び遮蔽部材２１において反射させて、室内を間接的に照明するようになっている。
【００２９】
この建築化照明システムにおいても、例えば２０００〜３０００ルクスといった照度が得られる室内の天井１及び壁６上部の光反射部位、さらには遮蔽部材２１の内面である光反射部位に、可視光型光触媒がコーティングされて、可視光型光触媒領域２２が設けられている。
【００３０】
従って、照明用光源４からの可視光が照射された可視光型光触媒領域２２に室内空気が接触することで、室内空気に含まれる有害な有機化合物が分解除去され、また脱臭される。ここで、例えば天井１等に送風機１１を設けて、可視光型光触媒領域２２付近の空気を強制的に流動させるようにすれば、可視光型光触媒領域２２への室内空気の接触機会が増え、これによって室内空気の浄化が促進される。なお、その他の構成は、上記実施形態と同様であり、上記実施形態と同様の機能を有する部材については同符号を付してある。
【００３１】
図４は、別の実施形態に係る建築化照明システムを示している。この建築化照明システムは、バランス照明を採用しており、室内の壁６に沿って設けた上下面開放の収容空間３０内に照明用光源４が収容されている。
【００３２】
収容空間３０は、室内の壁６とこの壁６に対して平行な板状の遮蔽部材３１によって囲まれた空間であり、この収容空間３０に収容された照明用光源４は、遮蔽部材３１により覆い隠されている。そして、この照明用光源４からの可視光を、室内の天井１、壁６上部及び遮蔽部材３１において反射させて、室内を間接的に照明するようになっている。
【００３３】
この建築化照明システムにおいても、例えば２０００〜３０００ルクスといった照度が得られる室内の天井１及び壁６上部の光反射部位、さらには遮蔽部材３１の内面である光反射部位に、可視光型光触媒がコーティングされて、可視光型光触媒領域３２が設けられている。
【００３４】
従って、照明用光源４からの可視光が照射された可視光型光触媒領域３２に室内空気が接触することで、室内空気に含まれる有害な有機化合物が分解除去され、また脱臭される。ここで、例えば天井１等に送風機１１を設けて、可視光型光触媒領域３２付近の空気を強制的に流動させるようにすれば、可視光型光触媒領域３２への室内空気の接触機会が増え、これによって室内空気の浄化が促進される。なお、その他の構成は、上記実施形態と同様であり、上記実施形態と同様の機能を有する部材については同符号を付してある。
【００３５】
図５は、さらに別の実施形態に係る建築化照明システムを示している。この建築化照明システムは、コーニス照明を採用しており、室内の天井１の壁際に沿って設けた下面開放の収容空間４０内に照明用光源４が収容されている。
【００３６】
収容空間４０は、室内の壁６と天井１から垂下した板状の遮蔽部材４１によって囲まれた空間であり、この収容空間４０に収容された照明用光源４は、遮蔽部材４１により覆い隠されている。そして、この照明用光源４からの可視光を、室内の天井１、壁６上部及び遮蔽部材４１において反射させて、室内を間接的に照明するようになっている。
【００３７】
この建築化照明システムにおいても、例えば２０００〜３０００ルクスといった照度が得られる室内の天井１及び壁６上部の光反射部位、さらには遮蔽部材４１の内面である光反射部位に、可視光型光触媒がコーティングされて、可視光型光触媒領域４２が設けられている。
【００３８】
従って、照明用光源４からの可視光が照射された可視光型光触媒領域４２に室内空気が接触することで、室内空気に含まれる有害な有機化合物が分解除去され、また脱臭される。ここで、例えば天井１等に送風機１１を設けて、可視光型光触媒領域４２付近の空気を強制的に流動させるようにすれば、可視光型光触媒領域４２への室内空気の接触機会が増え、これによって室内空気の浄化が促進される。なお、その他の構成は、上記実施形態と同様であり、上記実施形態と同様の機能を有する部材については同符号を付してある。
【００３９】
この発明は、上記実施形態に限定されるものではなく、この発明の範囲内で上記実施形態に多くの修正及び変更を加え得ることは勿論である。例えば、この発明の建築化照明システムは、住宅の室内に適用するだけに限らず、例えば駅舎のトイレ等の公共施設、エレベータ内等の気流の少ない閉鎖空間にも有効に適用することができる。
【図面の簡単な説明】
【００４０】
【図１】この発明の一実施形態に係る建築化照明システムの斜視図である。
【図２】同じくその縦断面図である。
【図３】他の実施形態に係る建築化照明システムの縦断面図である。
【図４】別の実施形態に係る建築化照明システムの縦断面図である。
【図５】さらに別の実施形態に係る建築化照明システムの縦断面図である。
【符号の説明】
【００４１】
１・・天井、２、２１、３１、４１・・遮蔽部材(天井板材)、３・・空間、４・・照明用光源、６・・壁、８、１２・・通気用の空隙、１０、２２、３２、４２・・可視光型光触媒領域、１１・・送風機
【図１】
2007095551.tif 000003
【図２】
2007095551.tif 000004
【図３】
2007095551.tif 000005
【図４】
2007095551.tif 000006
【図５】
2007095551.tif 000007